(57)【要約】【課題】従来技術の睡眠推定においては、実際の睡眠の状態と一致する確率が低く、また睡眠ポリグラフに比較して睡眠状態推定の精度がかなり悪い、人体が束縛される、処理が複雑である、という問題を有していた。そこで、無拘束状態においても円滑に検出できる信号を用いながら、眠りが深い・浅いといった睡眠状態を簡易かつ精度よく推定することができる睡眠状態推定装置を提供する。【解決手段】  人体の呼吸運動に基づく電圧波形から得られた電圧の正のピーク値、隣り合うピーク間の間隔（時間）を算出し、さらに、電圧波形等で囲まれたピーク間の面積の平均値、分散値を算出し、これらに基づいて、当該所定期間の睡眠状態を仮決めし、さらに複数の期間の設定値を参酌して当該所定期間の睡眠状態を推定する。【選択図】    図４
2006020810.tif 000002
【特許請求の範囲】
【請求項１】
生体情報を取得するセンサからのデータに基づき呼吸に関する時系列方向の波形曲線を算出する波形算出手段と、該波形算出手段によって算出された波形曲線の波形形状に基づいて睡眠状態を推定する睡眠状態推定手段とを、備えていることを特徴とする睡眠状態推定装置。
【請求項２】
前記睡眠状態推定手段は、前記波形曲線の波形形状に応じた評価値を算出する評価値算出手段と、該評価値算出手段からの評価値と睡眠状態を規定する比較値とを比較する比較手段とを、備えていることを特徴とする請求項１に記載の睡眠状態推定装置。
【請求項３】
前記評価値算出手段は、前記波形曲線と基準軸とで囲まれた面積を算出する面積算出手段を、備えていることを特徴とする請求項２に記載の睡眠状態推定装置。
【請求項４】
前記評価値算出手段は、前記センサからのデータに基づき前記波形形状のピークとなるピークタイミングを算出するピーク算出手段と、ピークタイミング間において前記波形曲線と基準軸とで囲まれた各ピーク間面積を算出するピーク間面積算出手段とを、備えていることを特徴とする請求項３に記載の睡眠状態推定装置。
【請求項５】
前記評価値算出手段は、前記各ピーク間面積の分散の値を該各ピーク間面積の平均の２乗で除算した演算結果を評価値とすることを特徴とする請求項４に記載の睡眠状態推定装置。
【請求項６】
体動情報を取得する体動情報取得手段を更に備え、前記睡眠状態推定手段は、該体動情報取得手段からの体動情報と前記比較手段からの推定結果をもとに睡眠状態値を設定することを特徴とする請求項５に記載の睡眠状態推定装置。
【請求項７】
前記睡眠状態推定手段は、所定期間毎に前記睡眠状態値を設定し、設定された複数期間分の睡眠状態値をもとに所定タイミングにおける睡眠状態を推定することを特徴とする請求項６に記載の睡眠状態推定装置。
【請求項８】
前記睡眠状態推定手段は、各期間の睡眠状態値に重み付けをして睡眠状態を推定する請求項７に記載の睡眠状態推定装置。
【請求項９】
上記請求項１乃至８の何れか一項に記載された各手段の機能をコンピュータに付与するプログラム。
【発明の詳細な説明】
【技術分野】
【０００１】
本発明は、生体情報に基づいて睡眠状態を推定する睡眠状態推定装置に関する。
【背景技術】
【０００２】
近年、健康意識が高まる中で、一般の家庭において日々の睡眠を管理することにより健康管理に勤めたいというニーズが生まれてきている。
【０００３】
人間の睡眠状態は一晩を通じて一様ではなく、大きくは眠りの浅いレム睡眠と眠りの深いノンレム睡眠とに２分され、睡眠中にノンレム睡眠とレム睡眠が周期的に数回出現することが従来より知られている。睡眠中は、ノンレム睡眠において浅い睡眠から深い睡眠へと睡眠状態が次第に移行し、深い睡眠状態が持続した後、再び浅い睡眠状態となり、その後、レム睡眠に移行するというのが一般的である。睡眠状態は睡眠深度によってさらに詳しく定義されている。睡眠深度は国際基準では、レム睡眠、睡眠深度１，２，３，４、覚醒の状態が定義されており、睡眠深度１，２，３，４はノンレム睡眠に該当するものである。
【０００４】
従来から睡眠の状態変化を検出することが種々試みられており、例えば脳波、眼球運動、顎筋電などを検出しその検出波形から睡眠深度を判定する睡眠ポリグラフ（ＰＳＧ）法が知られている。しかし睡眠ポリグラフ法では、装置が大がかりであり、病院など計測設備を備えた場所でしか利用できず、健康機器のように日常的に使用する用途には不向きである。また睡眠ポリグラフ法では、有資格者でなければ判定を行うことができず、装置さえあればよいと言う訳にはいかない。
【０００５】
そこで、睡眠ポリグラフに代わる手段によって睡眠の状態変化を精度良く検出することが望まれている。この睡眠深度を睡眠ポリグラフ法を用いずに推定する方法として、従来は呼吸数、心拍数、体動を測定し、測定結果から、例えば、ニューラルネットワークやカオス理論により、また実際の計測睡眠データを基に当該睡眠深度を推定する手法が知られている（特許文献１、２、非特許文献１参照）。
【０００６】
かかる従来技術による睡眠深度の推定は、測定した呼吸数、心拍数、体動の情報のうち、特に心拍数の増減変動、時間的間隔に重点を置いてこれらの変化から睡眠深度を推定するものである。
【特許文献１】特開平９−２９４７３１号公報
【特許文献２】特開平２００１−６１８２０号公報
【非特許文献１】計測自動制御学会論文集  Ｖｏｌ１３８，Ｎｏ．７，５８１／５８
【発明の開示】
【発明が解決しようとする課題】
【０００７】
しかしながら、上記従来技術の睡眠推定においては、実際の睡眠の状態変化と一致する確率が低く、深い睡眠状態と浅い睡眠状態を判別するのに睡眠ポリグラフに比較して精度がかなり悪いという問題を有していた。
【０００８】
また心拍数を精度よく測定するには、一般的には心電図が用いられるが、心電図による測定では、複数の電極を直接肌に貼り付ける必要があり、各電極から測定器に伸びるコードによって人体が束縛されるという欠点がある。また、無拘束センサによる測定では、測定した心拍数の信号が微小であり、また心拍以外の影響によりノイズが多く含まれるため、信号の増幅処理や、周波数解析のためのＦＦＴやフィルタ演算処理を行わなければならず、処理が複雑となるという課題があった。
【０００９】
そこで本発明は、無拘束状態においても円滑に検出できる信号を用いながら、眠りが深い・浅いといった睡眠状態を簡易かつ精度よく推定することができる睡眠状態推定装置を提供することを課題とする。
【課題を解決するための手段】
【００１０】
本発明は、規則的、不規則的に時々刻々と変動する時系列方向の呼吸動作波形に基づいて睡眠状態を推定するものである。
【００１１】
請求項１の発明に係る睡眠状態推定装置は、生体情報を取得するセンサからのデータに基づき呼吸に関する時系列方向の波形曲線を算出する波形算出手段と、その波形算出手段によって算出された波形曲線の波形形状に基づいて睡眠状態を推定する睡眠状態推定手段とを備えていることを特徴とする。
【００１２】
本発明によれば、呼吸に関する時系列方向の波形曲線を用いるものであるので、被験者をそれほど拘束することなく円滑に睡眠状態を推定することができる。また当該波形の形状に基づいて睡眠状態を推定するので、睡眠状態を的確に把握することができ、よって精度よく睡眠状態を推定することができる。
【００１３】
なお、当該発明において睡眠状態推定手段は、請求項２に記載のように波形曲線の波形形状に応じた評価値を算出する評価値算出手段と、その評価値算出手段からの評価値と睡眠状態を規定する比較値とを比較する比較手段とを備えるよう構成することができる。
【００１４】
請求項３の発明は前記請求項２に係る睡眠状態推定装置において、評価値算出手段が、波形曲線と基準軸とで囲まれた面積を算出する面積算出手段を備えていることを特徴とする。
【００１５】
請求項４の発明は前記請求項３に係る睡眠状態推定装置において、評価値算出手段が、センサからのデータに基づき波形形状のピークとなるピークタイミングを算出するピーク算出手段と、ピークタイミング間において波形曲線と基準軸とで囲まれた各ピーク間面積を算出するピーク間面積算出手段とを備えていることを特徴とする。
【００１６】
上記２つの発明によれば、波形が描く面積から波形形状を把握しているので、比較的簡易に算出することができ、その結果精度よく睡眠状態を推定することができる。なお、基準軸とは面積算出のために想定した、生体情報を取得するセンサからの出力が時系列方向で全て一定値、例えば零であると仮定した時に描かれる直線のことである。
【００１７】
請求項５の発明は前記請求項４に係る睡眠状態推定装置において、評価値算出手段が、各ピーク間面積の分散の値をその各ピーク間面積の平均の２乗で除算した演算結果を評価値とすることを特徴とする。
【００１８】
本発明によれば、各ピーク間面積の分散の値を使用することで精度よく睡眠状態を推定することができる。なお、各ピーク間面積の分散値が同じ値であっても例えば体位が異なれば睡眠状態が異なる場合がおこりうる。そこで、各ピーク間面積の分散値を、体位などの影響を大きく受けうる各ピーク間面積の平均の２乗で除算することで、それら体位情報などを加味することができ、画一的に扱うことが可能となる。
【００１９】
請求項６の発明は前記請求項５に係る睡眠状態推定装置において、体動情報を取得する体動情報取得手段を更に備え、睡眠状態推定手段が、その体動情報取得手段からの体動情報と比較手段からの推定結果をもとに睡眠状態値を設定することを特徴とする。
【００２０】
本発明によれば、睡眠状態の推定のうち“覚醒”状態か、覚醒状態以外の
いわゆる“眠っている”状態であるかの推定に利用することができる体動情報も更に使用するので、睡眠状態の推定において更に精度を上げることができる。
【００２１】
請求項７の発明は前記請求項６に係る睡眠状態推定装置において、睡眠状態推定手段が、所定期間毎に睡眠状態値を設定し、設定された複数期間分の睡眠状態値をもとに所定タイミングにおける睡眠状態を推定することを特徴とする。
【００２２】
請求項８の発明は前記請求項７に係る睡眠状態推定装置において、各期間の睡眠状態値に重み付けをして睡眠状態を推定することを特徴とする。
【００２３】
これら２つの発明によれば、所定期間における睡眠状態の推定において、前述の面積や体動を利用して精度よく推定したのに加え、複数区間の推定結果を考慮するので更なる精度の向上に貢献することができる。また各期間の睡眠状態結果の考慮の際に重み付けをすることで一層の精度の向上に貢献することができる。
【００２４】
請求項９の発明は、上記請求項１乃至８の何れか一項に記載された各手段の機能をコンピュータに付与するプログラムである。
【００２５】
以上のように本発明によれば、規則的、不規則的に時々刻々と変動する時系列方向の呼吸動作波形に基づいて、眠りが深い・浅いといった睡眠状態を簡易かつ精度よく推定することができる睡眠状態推定装置を提供することができる。
【００２６】
本発明の特徴は、以下に示す実施の形態の説明により更に明らかとなろう。
【００２７】
ただし、以下の実施の形態は、あくまでも、本発明の一つの実施形態であって、本発明ないし各構成要件の用語の意義は、以下の実施の形態に記載されたものに制限されるものではない。
【発明を実施するための最良の形態】
【００２８】
以下、本発明の実施の形態につき図面を参照して説明する。
【００２９】
図１を参照して、本実施形態に係る睡眠状態推定装置は、生体情報を取得するセンサの一つである呼気バンド１、センサからのデータに基づき呼吸に関する時系列方向特性である波形曲線を算出する波形算出手段を含む生体情報処理部２、睡眠状態を推定する睡眠状態推定部３から構成される。敷き布団４上に人体が横たわっており、人体の上半身に呼気バンド１が取り付けられている。
【００３０】
呼気バンド１とは、図２に示す如く、ストレーンゲージ１ａ（例えば、伸縮するゴムの管の中に導電液を封入したもの）のついた弾力性のあるバンドである。この呼気バンド１を人体の胸部や腹部にまきつけると、人体の呼吸運動によりストレーンゲージ１ａが伸縮し、その電気的な抵抗が変化する。
【００３１】
生体情報処理部２は、ストレーンゲージ１ａの抵抗変化をブリッジ回路などを介して電圧変化に変換し、この電圧変化を人体の呼吸運動による変化として測定する。図３を参照して、生体情報処理部２により測定した人体の呼吸運動による電圧変化を示す。図３では、横軸が測定時間（sec）、縦軸が電圧（Ｖ）であり電圧が正の時は吸気動作を示す。なお、図３において時間軸の２０秒から３０秒にかけての区間で波形に大きい変化が見られるのは体動による影響であり、体動による電圧の変化は呼吸動作に対して目立って大きいことが知られている。この体動からの情報は、睡眠状態の推定のうち“覚醒”状態か、覚醒状態以外のいわゆる“眠っている”状態であるかの推定に利用することができる。ここで言う体動とは睡眠時の寝返りなどのことだけではなく、覚醒状態での体動及び覚醒状態とみなせる状態を含む。例えば、生体情報が明らかに異常な値をとる、又は異常な周期が存在する場合は、覚醒を表す状態と判断する。
【００３２】
睡眠状態推定部３では、生体情報処理部２により測定された電圧波形をサンプリング周波数１００Ｈｚでサンプリングしデジタル化する。なお、上述のように電圧の変化から体動の状態が検出可能であるため、本実施形態ではｎ個の各ピーク値（Ｖj[ｊ＝１，２，３，…，ｎ]）の比を体動検出に使用する（以下、ピーク値比と呼ぶ）。ピーク値は電圧が正でかつ最大値を示す、電圧波形形状がピークとなる箇所の値である。図３では、時間０〜５９秒の区間に、正のピーク値のポイントは１４ポイント（Ｐ１〜Ｐ１４）存在する。また、当該各ピークのタイミング（ピーク値の時刻；Ｔj[ｊ＝１，２，３，…，ｎ]）間の時間間隔（以下、ピーク間隔と呼ぶ）が所定の範囲外であることは実験・調査データから覚醒又は体動ということができるので、ピーク間隔も覚醒の推定に使用する。
【００３３】
なお、ピーク値、ピーク間隔は次のように算出する。即ち、測定された電圧変化のデータが所定の正の閾値（本実施形態では１Ｖ）を越えてから、所定の負の閾値（本実施形態では−１Ｖ）に達するまでの間の最大値を電圧の正のピーク値として算出する。このように負の閾値を設けることにより、ヒステリシス効果で正のピーク値の誤検出を防止することができる。また、算出した正のピーク値から次の正のピーク値に到達するまでの時間をピーク間隔とする。以上により、ピーク値比とピーク間隔は下式で表される。
【００３４】
【数１】
2006020810.tif 000003
【００３５】
以下では、図４および図５に示すフローチャートに基づいて睡眠状態推定部３における睡眠状態の推定方法を説明する。
【００３６】
図４を参照して、ステップＳ１００では、時間計測用タイマーをリセットし、諸変数（ループ回数変数ｉなど）やメモリなどをクリアする。
【００３７】
ステップＳ１０１では、各ハードウエアすなわちタイマーや生体情報データメモリなどに時間計測、生体情報データ取込みを開始させるトリガ信号を発生させる。これ以降、タイマーは時間計測を開始し、所定期間毎（本実施形態では６０秒毎としている）にインタラプトＴ信号を発生させる。また、生体情報処理部２はセンサからの呼吸情報に基づいた電圧変化の測定を開始し、それとともに生体情報データメモリはそのデジタルデータ取込みを開始する。
【００３８】
ステップＳ１０２ではインタラプトＴ信号の受信により、生体情報データメモリに所定期間６０秒分のデータが蓄積されたかどうか確認する。確認されたらステップＳ１０３へ進み、それ以外はステップＳ１０２へ分岐する。
【００３９】
スッテプＳ１０３では前記の方法によりピークを検出し、ピーク間隔、ピーク値比の算出を行う。
【００４０】
スッテプＳ１０４では全てのピーク間隔が所定の範囲内にあるかどうか判定し、範囲内にある場合はフラグPIflagを１に、それ以外のときは０にセットする。なお、PIflag＝０の場合とは、“覚醒”状態にある体動又は睡眠状態とはみなせない状態を表している。
【００４１】
スッテプＳ１０５では全てのピーク値比が所定の範囲内にあるかどうか判定し、範囲内にある場合はフラグPVflagを１に、それ以外のときは０にセットする。なお、PVflag＝０の場合とは、“覚醒”状態にある体動又は睡眠状態とはみなせない状態を表している。
【００４２】
スッテプＳ１０６ではフラグPIflag、PVflagが両者とも所定の範囲内にある場合、すなわち（PIflag，PVflag）＝（１，１）の場合にはステップＳ１０７に、それ以外ではステップＳ１０９ｃに分岐する。
【００４３】
ステップＳ１０７では所定期間６０秒区間内における（ｎ−１）箇所のピーク間面積ｇj（ [ｊ＝１，２，３，…，（ｎ−１）]）を算出し、その後各ピーク間面積の平均と分散を算出して評価値ＳＶを算出する。この評価値は波形曲線の波形形状に応じた値を示す。ピーク間面積とは各ピークタイミング間において波形曲線と基準軸とで囲まれた各区間の面積のことで、電圧値が負である区間では積分値の絶対値を使用する。なお、基準軸は任意であるが、ここではセンサからの出力が時系列方向において全て一定値、さらには零であると想定した時の特性直線とした。なお、分散Ｂは、各ピーク間面積の平均をＡとすると次式
【００４４】
【数２】
2006020810.tif 000004
【００４５】
で与えられるので、評価値ＳＶは下式で与えられる。
【００４６】
【数３】
2006020810.tif 000005
【００４７】
ステップＳ１０８では、評価値ＳＶと睡眠状態を規定する比較値との比較を行い、評価値ＳＶが比較値未満のときはステップＳ１０９ａに、それ以外のときはステップＳ１０９ｂ分岐する。本実施形態では比較値として０．２を使用している。
【００４８】
ステップＳ１０９ａ、Ｓ１０９ｂ、Ｓ１０９ｃでは、SleepValue[i]にそれぞれ睡眠状態値Deep、Light、MTをセットする。
【００４９】
ステップＳ１１０ではループ回数変数ｉをインクリメントし、当該所定期間分の睡眠状態値設定作業の終了を示すインタラプトＳＶ信号を発生させる。次の所定期間の状態推定ルーチンを開始するためステップＳ１０２へ戻る。
【００５０】
図５を参照して、ステップＳ２００では、上記インタラプトＳＶ信号を受信した場合のみステップＳ２０１へ進む。
【００５１】
ステップ２０１では、ループ回数変数ｉが５以上であるかどうか判定する。すなわち５期間分の睡眠状態値が得られているか判定する。これは所定タイミングにおける睡眠状態推定のために、設定された複数期間分の睡眠状態値を使用するため（本実施形態では５期間分）、開始直後はその設定期間分の睡眠状態値が得られているかの判定が必要となるためである。ループ回数変数ｉが５以上の場合はステップＳ２０２へ、それ以外はステップＳ２００へ分岐する。
【００５２】
ステップＳ２０２では、カウント用変数DeepCount、MTCountをクリアする。
ステップＳ２０３では、SleepValue[i-4]〜SleepValue[i]の５つにおいて、DEEP、MTがいくつあるかカウントし、DEEPの数を変数DeepCount、MTの数を変数MTCountにセットする。
【００５３】
ステップＳ２０４では、変数DeepCount、変数MTCountの値に応じて睡眠状態の推定を行い、SleepState[i]に推定値“WAKE”、“REM”、“DEEP”、“LIGHT”の何れかをセットする。この値は当該所定期間の睡眠状態の推定を行った最終結果の値である。ステップＳ１０６やステップＳ１０８においてフラグPIflag、PVflagや評価値ＳＶを各閾値と比較することで、ステップＳ１０９ａ〜ｃにおいて所定期間における睡眠状態値をセットしたが、これは言わば仮決めの状態である。この段階では、例えば寝返りの体動をステップＳ１０６で“覚醒”と誤判定する可能性もあり得、より精度の向上を図るべきである。よって、本実施形態では、この段階では睡眠状態推定の確定を行わない。
【００５４】
そこで、ステップＳ２０３、ステップＳ２０４では、当該期間より以前の履歴情報であるSleepValue[i−4]〜SleepValue[i-1]も用い、その仮決めされた睡眠状態値を参酌して当該期間の睡眠状態推定を行うことで、精度の向上を図っている。なお、上記の場合に限らず、所定期間の推定において過去の履歴だけでなく、それより後の睡眠状態値を参酌しても構わない。
【００５５】
また、本実施形態では詳説していないが、各期間の睡眠状態値に重み付けをして睡眠状態を推定してもよい。例えば、SleepState[5]を決定するのにSleepValue[3]〜SleepValue[7]を用いて変数DeepCountを算出する際、SleepValue[3]とSleepValue[7]がDeepのときは1回とせずに0.5回、SleepValue[5] がDeepのときは1回とせずに2回とするなどして重み付けを変える。これにより一層の精度の向上が期待できる。
【００５６】
なお、推定値“WAKE”は先述の国際基準により規定された睡眠深度の定義によると“覚醒”であり、“REM”は“レム睡眠”、“LIGHT”は“睡眠深度１，２”の状態、“DEEP”は“睡眠深度３，４“の状態である。
【００５７】
以上のように、睡眠状態推定部３は、ピーク間隔、ピーク値比により“覚醒”かどうかの判定を行い、また呼吸動作波形のピーク間面積の平均値、分散により“深い眠り”、“浅い眠り”のいずれであるかを精度よく判定する。さらに複数区間の推定結果を考慮することで睡眠状態推定の更なる精度の向上を行っている。なお、本実施形態による睡眠状態推定結果とＰＳＧによる推定結果との比較を図６に載せる。
【００５８】
図６では、“REM”と“LIGHT”の推定を「浅い」、"DEEP"の推定を「深い」としている。図６を参照すると、就寝してから浅い睡眠に入るタイミングや、例えば１〜３時間付近の深い睡眠のタイミング、睡眠のサイクル等の傾向が、ＰＳＧの結果と比較して精度よく推定されていることが確認できる。なお、７時間以降は、ＰＳＧの結果では浅い眠りであるのに対して呼吸運動からの推定では覚醒状態と判断している傾向が見られる。この理由として、睡眠の特性上、明け方になるに従い体動が増加することが知られており、明け方に頻発した体動を覚醒と判定してしまった事が考えられる。なお、ＰＳＧの結果はAllan Rechtschaffen＆Anthony Kalesの手法に基づいた判定であるが、判定者の主観によって判定のずれが生じることもあり、ＰＳＧの判定結果が被験者の実際の状態と一致しない場合もありうる。
【００５９】
なお、上記実施形態では生体情報センサーとして呼気バンドを用いているが、その他の生体情報センサーとして無拘束センサー、例えば、シート状の静電容量型のセンサーを用いることもできる。この場合は、図７および図８に示すように、敷き蒲団４に該シート状静電容量型センサー５が取り付けられる。
【００６０】
該シート状静電容量型センサー５では人体の上半身により圧迫されて電極間の距離が変動し、これに伴ってシート状静電容量型センサー５の静電容量が変動する。よってこの場合は、生体情報処理部２は人体の呼吸運動及び体動によるシート状静電容量型センサー５の静電容量の変動データを測定する。具体的には、例えばLC共振回路を用いてその共振周波数を測定する。この場合には、睡眠状態推定部３は、生体情報処理部２の出力信号である人体の呼吸運動や体動に基づく静電容量の変動波形曲線を用いて睡眠状態を推定する。具体的には前記の呼気バンドの例と同じである。
【００６１】
図９に生体情報処理部２により測定した人体の呼吸運動による電圧変化を示す（なお、サンプリング周波数は１０Ｈｚ）。図９では、横軸が測定時間（sec）、縦軸が共振周波数（Hz）である。同図（ｂ）は同図（ａ）の縦軸のレンジを絞って呼吸動作の波形が確認しやすいように縦軸方向において拡大した図である。時間軸の６０秒辺りから１００秒辺りにかけて、波形の変化に体動による影響が見られる。このように体動による周波数の変化は呼吸動作の場合と比べてかなり大きい。以上のように、波形は共振周波数に関するものであるが、この場合でも然るべき閾値を設定することで、前記実施形態と同様に演算、推定等を行うことが可能である。
【００６２】
また、上記実施形態では、睡眠状態推定部３は、生体情報処理部２により測定された電圧変化をサンプリング周波数１００Ｈｚでサンプリングしてデジタル化し、所定の一区間として６０秒間の電圧測定結果に基づいてピーク間隔値、ピーク値、さらにピーク間面積の平均と分散に基づいた評価値を用いて睡眠状態を推定しているが、当該サンプリング周波数、閾値および一区間の長さは、適宜変更することができる。また、睡眠状態推定部３が睡眠状態を推定する際のピーク間隔値などの閾値は、複数の被験者からのデータを統計処理することによりチューニングした値を適用する。
【００６３】
なお、図４及び図５に示す処理フローは、ハードウエア的には、任意のコンピュータのＣＰＵ、メモリ、その他のＬＳＩなどで実現できる。また、ソフトウエア的には、メモリにロードされたプログラムなどによって実現される。図１には、睡眠状態推定装置の構成を機能ブロックとして示したが、これらの機能ブロックが、ハードウエアのみ、ソフトウエアのみ、それらの組合せ等、いろいろな形態で実現できることは言うまでもない。例えば図１における生体情報処理部２、睡眠状態推定部３の機能ないし図４及び図５の処理を実行するためのプログラムをパーソナルコンピュータにインストールして睡眠状態推定装置を構成することもできる。
【００６４】
以上、本発明に係る実施の形態について説明したが、かかる実施の形態は、特許請求の範囲に示された技術的思想の範囲内において、適宜、種々の変更が可能である。
【図面の簡単な説明】
【００６５】
【図１】実施の形態に係る睡眠状態推定装置の構成を示す図。
【図２】生体情報を取得するセンサーの一つである呼気バンドを示す図。
【図３】生体情報処理部により抽出された呼吸信号波形を示す図。
【図４】実施の形態に係る睡眠状態を推定するフローチャートを示す図。
【図５】実施の形態に係る睡眠状態を推定するフローチャートを示す図。
【図６】実施の形態による推定結果と睡眠ポリグラフによる実測値を比較した図。
【図７】他の実施の形態に係る睡眠状態推定装置の構成を示す図。
【図８】他の実施の形態に係る睡眠状態推定装置の構成を示す図。
【図９】他の実施の形態（シート型センサー）にて抽出した呼吸信号の波形図。
【符号の説明】
【００６６】
１  生体情報センサー
２  生体情報処理部
３  睡眠状態推定部
５  シート状の静電容量型の無拘束生体情報センサー
【図１】
2006020810.tif 000006
【図２】
2006020810.tif 000007
【図３】
2006020810.tif 000008
【図４】
2006020810.tif 000009
【図５】
2006020810.tif 000010
【図６】
2006020810.tif 000011
【図７】
2006020810.tif 000012
【図８】
2006020810.tif 000013
【図９】
2006020810.tif 000014